(57)【要約】      （修正有）【課題】故紙を容易に結束し得るようにした故紙結束手段を備えた家具を提供する。【解決手段】引出し１内には垂直板を正面板に近接させて配設し、該引出し内の故紙収納室の底板１５の上面略中央部には左右方向に第一水平溝１７を形成し、該引出しの左右各側板１９ａ，１９ｂの内面には第一水平溝に連続する垂直溝２１ａ，２１ｂを形成し、各側板の上縁には各垂直溝に連続する第二水平溝を形成し、各第二水平溝の手前側端を垂直板と正面板との間の隙間に臨ませ、結束用紐を第一水平溝１７と各垂直溝２１ａ，２１bと各第二水平溝とに挿通させて該紐の両端を該隙間に垂れ下げ、引出しの上方には故紙押圧片３１を上下方向に回動自在に取り付けた支持体３３を前後方向に出没自在に配設する。【選択図】図１
2004344280.tif 000002
【特許請求の範囲】
【請求項１】
故紙収納用の引出し（１）を備え、該引出し内には垂直板（９）を該引出しの正面板（１１）に近接させて配設し、該引出し内における該垂直板よりも奥部を故紙収納室（１３）となし、該故紙収納室の底板（１５）における上面略中央部には該引出しの左右方向に第一水平溝（１７）を形成し、該引出しの左右各側板（１９ａ）（１９ｂ）における内面には底板の第一水平溝（１７）に連続する垂直溝（２１ａ）（２１ｂ）を形成し、当該各側板の上縁（１９ａ‘）（１９ｂ’）には各垂直溝に連続する第二水平溝（２３ａ）（２３ｂ）を手前方向に形成し、各第二水平溝の手前側端（２３ａ‘）（２３ｂ’）を前記垂直板（９）と正面板（１１）との間の隙間（２５）に臨ませ、結束用紐（２７）を第一水平溝（１７）と各垂直溝（２１ａ）（２１ｂ）と各第二水平溝（２３ａ）（２３ｂ）とに挿通させて該結束用紐の両端（２７ａ）（２７ｂ）をそれぞれ各第二水平溝の手前側端（２３ａ‘）（２３ｂ’）より前記垂直板と正面板との間の隙間（２５）に垂れ下げ、
前記引出しの上方には故紙押圧片（３１）を上下方向に回動自在に取り付けた支持体（３３）を前後方向に出没自在に配設したことを特徴とする家具。
【請求項２】
故紙収納用の引出し（１）を備え、該引出しの底板（１５‘）における上面略中央部には該引出しの左右方向に第一水平溝（１７）を形成し、該引出しの左右各側板（１９ａ）（１９ｂ）における内面には底板の第一水平溝（１７）に連続する垂直溝（２１ａ）（２１ｂ）を形成し、
該引出しの上方には故紙押圧片（３１）を上下方向に回動自在に取り付けた支持体（３３）を前後方向に出没自在に配設し、
該引出し内に故紙（４３）を収納した後、一端を先導手段（４５）に取り付けた結束用紐（２７）を該先導手段に先導させて一方の垂直溝の上端から第一水平溝を経て他方の垂直溝の上端まで挿通させるようにしたことを特徴とする家具。
【発明の詳細な説明】
【０００１】
【発明の属する技術分野】
本発明は家具に関するものであり、特に新聞紙等の故紙を容易に結束し得るようにした故紙結束手段を備えた家具に係るものである。
【０００２】
【従来の技術】
実開平７−３０２０１号公報は故紙の回収用収納箱を開示している。この回収用収納箱は、上端に故紙の投入口を備えた箱体の下部に故紙の結束用紐、切断用鋏等を収納する引出しを設け、該箱体の側板下部に故紙の取り出し口を開口し、該取り出し口と前記投入口とにそれぞれ蓋を開閉自在に取り付けてなるものである。
【０００３】
上記従来の故紙の回収用収納箱においては、新聞紙等の故紙を投入口より箱体内に投入し、該箱体内に故紙が溜まったときには取り出し口より該故紙を取り出し、引出しから取り出した故紙の結束用紐、切断用鋏等を用いて該故紙を結束するようにしている。
【０００４】
【特許文献１】
実開平７−３０２０１号公報（請求項１）。
【０００５】
【発明が解決しようとする課題】
しかるに、上記従来の故紙の回収用収納箱は、単に故紙を収納するスペースと故紙の結束用紐、切断用鋏等を収納する引出しを設けているに過ぎないものであり、故紙の結束作業自体を何等容易にするものではない。
【０００６】
本発明は、単に新聞紙等の故紙を収納するだけでなく、新聞紙等の故紙を容易に結束し得るようにした故紙結束手段を備えた家具を提供しようとしてなされたものである。
【０００７】
【課題を解決するための手段】
上記課題を解決するために、本発明は下記の家具を提供する。
【０００８】
１．故紙収納用の引出し（１）を備え、該引出し内には垂直板（９）を該引出しの正面板（１１）に近接させて配設し、該引出し内における該垂直板よりも奥部を故紙収納室（１３）となし、該故紙収納室の底板（１５）における上面略中央部には該引出しの左右方向に第一水平溝（１７）を形成し、該引出しの左右各側板（１９ａ）（１９ｂ）における内面には底板の第一水平溝（１７）に連続する垂直溝（２１ａ）（２１ｂ）を形成し、当該各側板の上縁（１９ａ‘）（１９ｂ’）には各垂直溝に連続する第二水平溝（２３ａ）（２３ｂ）を手前方向に形成し、各第二水平溝の手前側端（２３ａ‘）（２３ｂ’）を前記垂直板（９）と正面板（１１）との間の隙間（２５）に臨ませ、結束用紐（２７）を第一水平溝（１７）と各垂直溝（２１ａ）（２１ｂ）と各第二水平溝（２３ａ）（２３ｂ）とに挿通させて該結束用紐の両端（２７ａ）（２７ｂ）をそれぞれ各第二水平溝の手前側端（２３ａ‘）（２３ｂ’）より前記垂直板と正面板との間の隙間（２５）に垂れ下げ、
前記引出しの上方には故紙押圧片（３１）を上下方向に回動自在に取り付けた支持体（３３）を前後方向に出没自在に配設したことを特徴とする家具（請求項１）。
【０００９】
２．故紙収納用の引出し（１）を備え、該引出しの底板（１５‘）における上面略中央部には該引出しの左右方向に第一水平溝（１７）を形成し、該引出しの左右各側板（１９ａ）（１９ｂ）における内面には底板の第一水平溝（１７）に連続する垂直溝（２１ａ）（２１ｂ）を形成し、
該引出しの上方には故紙押圧片（３１）を上下方向に回動自在に取り付けた支持体（３３）を前後方向に出没自在に配設し、
該引出し内に故紙（４３）を収納した後、一端を先導手段（４５）に取り付けた結束用紐（２７）を該先導手段に先導させて一方の垂直溝の上端から第一水平溝を経て他方の垂直溝の上端まで挿通させるようにしたことを特徴とする家具（請求項２）。
【００１０】
特許請求の範囲を含む本明細書において、「奥部」とは故紙収納用の引出しにおける奥方向の部分、即ち該引出しの平面図である図２における上方向の部分をいい、「手前」とは故紙収納用の引出しにおける使用者に向かう方向、即ち図２における下方向をいい、「前後」とは故紙収納用の引出しが移動する方向、即ち図２における上下方向をいい、「左右」とは前後と直角の水平方向、即ち図２における左右をいうものとする。
【００１１】
【作用】
［請求項１の発明］
結束用紐は第一水平溝と各垂直溝と各第二水平溝とに挿通させて該結束用紐の両端をそれぞれ各第二水平溝の手前側端より前記垂直板と正面板との間の隙間に垂れ下げられている。従って、結束用紐は故紙収納用の引出しの外部に突出しているものではなく、該引出しの動きを妨げることはない。
【００１２】
請求項１の家具を使用する際には、日々発生する新聞紙等の故紙を故紙収納用の引出しにおける故紙収納室内に収納する。故紙収納室内の故紙が所定の高さまで溜まったときには、該引出しを半分程度引き出して故紙を手で押下し、この状態で該引出しの上方に配設された支持体を引き出して故紙押圧片を下方に回動させ、該故紙押圧片の下端により故紙を押下させる。このとき、該故紙押圧片の下端が第一水平溝の真上に位置するようになす。
【００１３】
続いて、垂直板と正面板との間の隙間に垂れ下がっている結束用紐の両端を該隙間から引き出すと共に該結束用紐を各第二水平溝から引き出し、該結束用紐を一回結び、この結び目を該故紙押圧片の下端の直下に入れる（図３参照）。該結束用紐を結んだときには、該結束用紐は第一水平溝と各垂直溝とから脱出して故紙に密接する。この状態で該結束用紐を再度結んで小間結びを形成する。しかる後に、故紙を該引出しから取り出し、これを上下反転させて該結束用紐を十文字状に結束する。
【００１４】
第一水平溝は故紙収納室の底板における上面略中央部に形成され、各垂直溝は該第一水平溝に連続するものであるから、結束用紐は故紙の略中央部にて結束される。
【００１５】
以上の如く故紙を結束した後、故紙押圧片の支持体を元の位置に押し込み、新しい結束用紐を第一水平溝と各垂直溝と各第二水平溝とに挿通させて該結束用紐の両端をそれぞれ各第二水平溝の手前側端より前記垂直板と正面板との間の隙間に垂れ下げた状態で前記引出しを元の位置に押し込む。以後、再び新聞紙等の故紙を故紙収納用の引出しにおける故紙収納室内に収納する。
【００１６】
［請求項２の発明］
請求項２の家具においては、日々発生する新聞紙等の故紙は故紙収納用の引出し内に収納される。該引出し内の故紙が所定の高さまで溜まったときには、該引出しを引き出して故紙を手で押下し、この状態で該引出しの上方に配設された支持体を引き出して故紙押圧片を下方に回動させ、該故紙押圧片の下端により故紙を押下させる。このとき、該故紙押圧片の下端が第一水平溝の真上に位置するようになす。
【００１７】
続いて、結束用紐を先導手段に先導させて一方の垂直溝の上端から第一水平溝を経て他方の垂直溝の上端まで挿通させた後、該先導手段を該結束用紐から取り外す。
【００１８】
しかる後に、結束用紐を一回結び、この結び目を該故紙押圧片の下端の直下に入れる（図３参照）。該結束用紐を結んだときには、該結束用紐は第一水平溝と各垂直溝とから脱出して故紙に密接する。この状態で該結束用紐を再度結んで小間結びを形成する。続いて、故紙を該引出しから取り出し、これを上下反転させて該結束用紐を十文字状に結束する。
【００１９】
第一水平溝は引出しの底板における上面略中央部に形成され、各垂直溝は該第一水平溝に連続するものであるから、結束用紐は故紙の略中央部にて結束される。
【００２０】
以上の如く故紙を結束した後、故紙押圧片の支持体と故紙収納用の引出しとを元の位置に押し込み、再び新聞紙等の故紙を故紙収納用の引出し内に収納する。
【００２１】
【発明の実施の形態】
次に、本発明の実施の形態を添付図面に従って説明する。
【００２２】
本発明による家具の一例を示す図１において、符号１に示すものは家具に備えさせた故紙収納用の引出しである。この事例における家具は、更に別の引出し３、５、６と収納空間７とを備えている。引出し３には例えば結束した故紙を収納してもよい。別の引出し５、６と収納空間７には、例えば週刊誌、当日の新聞紙等いかなるものを収納してもよい。
【００２３】
図２〜図６に示す事例においては、故紙収納用の引出し１内には垂直板９を該引出し１の正面板１１に近接させて配設し、該引出し１内における該垂直板９よりも奥部を故紙収納室１３となしている。
【００２４】
故紙収納室１３の底板１５における上面略中央部には該引出し１の左右方向に第一水平溝１７を形成し、該引出し１の左右各側板１９ａ、１９ｂにおける内面には底板１５の第一水平溝１７に連続する垂直溝２１ａ、２１ｂを形成し、当該各側板１９ａ、１９ｂの上縁１９ａ‘、１９ｂ’には各垂直溝２１ａ、２１ｂに連続する第二水平溝２３ａ、２３ｂを手前方向に形成し、各第二水平溝２３ａ、２３ｂの手前側端２３ａ‘、２３ｂ’を前記垂直板９と正面板１１との間の隙間２５に臨ませる。
【００２５】
図１、図３、図７に示すように、紙紐等の結束用紐２７を第一水平溝１７と各垂直溝２１ａ、２１ｂと各第二水平溝２３ａ、２３ｂとに挿通させて該結束用紐２７の両端２７ａ、２７ｂをそれぞれ各第二水平溝２３ａ、２３ｂの手前側端２３ａ‘、２３ｂ’より前記垂直板９と正面板１１との間の隙間２５に垂れ下げる。
【００２６】
各第二水平溝２３ａ、２３ｂにおける手前側端２３ａ‘、２３ｂ’又はその近傍部を細溝とすることにより、結束用紐２７が該細溝から脱出し難くすることが望ましい。
【００２７】
前記引出し１の上方には故紙押圧片３１を上下方向に回動自在に取り付けた支持体３３を前後方向に出没自在に配設する。
【００２８】
故紙押圧片３１は、一例として、ヒンジ３５を介して支持体３３に上下方向に回動自在に取り付ける。符号３７に示すものは支持体３３のガイド、符号３９は支持体３３の手前側ストッパー、符号４１は支持体３３の奥側ストッパーである。なお、符号４３に示すものは新聞紙等の故紙である。
【００２９】
次に、本発明の別の実施例について説明する。
この実施例は、前記各側板１９ａ、１９ｂの上縁１９ａ‘、１９ｂ’における第二水平溝２３ａ、２３ｂを不要ならしめ、故紙収納用の引出し１に故紙４３を所定の高さまで収納した後、紙紐等の結束用紐２７を先導手段４５を用いて垂直溝２１ａ、２１ｂと第一水平溝１７とに挿通させるようにしたものである。
【００３０】
即ち、故紙収納用の引出し１を備えさせ、該引出し１の底板１５‘における上面略中央部には該引出し１の左右方向に第一水平溝１７を形成し、該引出し１の左右各側板１９ａ、１９ｂにおける内面には底板１５’の第一水平溝１７に連続する垂直溝２１ａ、２１ｂを形成する。
【００３１】
該引出し１の上方には故紙押圧片３１を上下方向に回動自在に取り付けた支持体３３を前後方向に出没自在に配設する。
【００３２】
支持体３３と故紙押圧片３１は、前述のものと同様である。
【００３３】
該引出し１内に故紙４３を収納した後、一端を先導手段４５に取り付けた結束用紐２７を該先導手段４５に先導させて一方の垂直溝２１ａ又は２１ｂの上端から第一水平溝２７を経て他方の垂直溝２１ｂ又は２１ａの上端まで挿通させる。
【００３４】
先導手段４５は、一例として図８に示すように、ステンレスワイヤ等の腰の強いワイヤ４５ａの一端に環状部４５ｂを備えさせてなるものとする。この先導手段４５においては、環状部４５ｂに結束用紐２７の一端を係止させた状態でワイヤ４１に結束用紐２７を先導させる。
【００３５】
【発明の効果】
［請求項１の発明］
結束用紐は故紙収納用の引出しにおける故紙収納室内に収納された故紙の中央部を取り囲むように該引出しに予め配設されており、しかも使用者は支持体の故紙押圧片により故紙の略中央部を押圧させた状態で該故紙を結束用紐により結束することができるため、故紙の結束作業は極めて容易である。即ち、使用者は、故紙を結束用紐により結束する際に故紙を該結束用紐上に乗せ又は該結束用紐を故紙の下方を通過させる必要がなく、更に支持体の故紙押圧片により故紙を押圧させて該故紙の動きを防止した状態で結束することができるのである。
【００３６】
［請求項２の発明］
紙紐等の結束用紐を先導手段を用いて故紙収納用の引出しにおける垂直溝と第一水平溝とに挿通させるようしているため、該引出しに故紙を収納した後であっても該結束用紐をこれらの溝に挿通させることは容易である。また、使用者は支持体の故紙押圧片により故紙の略中央部を押圧させた状態で該故紙を結束用紐により結束することができることと相俟って、上記請求項１の発明におけると同様に、故紙の結束作業は極めて容易である。
【図面の簡単な説明】
【図１】本発明による家具の一例を示す一部断面正面図である。
【図２】故紙収納用の引出しを示す平面図である。
【図３】図２のＩＩＩ−ＩＩＩ線における断面図である。
【図４】図２のＩＶ−ＩＶ線における断面図である。
【図５】図２のＶ−Ｖ線における断面図である。
【図６】図２のＶＩ−ＶＩ線における断面図である。
【図７】故紙収納用の引出しにおける各溝に結束用紐を挿通させた状態を示す平面図である。
【図８】結束用紐を先導手段に先導させている状態を示す平面図である。
【図９】故紙押圧片を備えた支持体を示す斜視図である。
【図１０】前記支持体が押し込まれた状態を示す側面図である。
【図１１】前記支持体が引き出された状態を示す側面図である。
【図１２】前記支持体の正面図である。
【符号の説明】
１  故紙収納用の引出し
３  引出し
５  引出し
６  引出し
７  収納空間
９  垂直板
１１  正面板
１３  故紙収納室
１５  底板
１５‘  底板
１７  第一水平溝
１９ａ  側板
１９ａ‘  上縁
１９ｂ  側板
１９ｂ‘  上縁
２１ａ  垂直溝
２１ｂ  垂直溝
２３ａ  第二水平溝
２３ａ‘  手前側端
２３ｂ  第二水平溝
２３ｂ‘  手前側端
２５  隙間
２７  結束用紐
２７ａ  端
２７ｂ  端
３１  故紙押圧片
３３  支持体
３５  ヒンジ
３７  ガイド
３９  手前側ストッパー
４１  奥側ストッパー
４３  故紙
４５  先導手段
４５ａ  ワイヤ
４５ｂ  環状部
【図１】
2004344280.tif 000003
【図２】
2004344280.tif 000004
【図３】
2004344280.tif 000005
【図４】
2004344280.tif 000006
【図５】
2004344280.tif 000007
【図６】
2004344280.tif 000008
【図７】
2004344280.tif 000009
【図８】
2004344280.tif 000010
【図９】
2004344280.tif 000011
【図１０】
2004344280.tif 000012
【図１１】
2004344280.tif 000013
【図１２】
2004344280.tif 000014
【手続補正書】
【提出日】平成15年5月26日(2003.5.26)
【手続補正１】
【補正対象書類名】明細書
【補正対象項目名】００３４
【補正方法】変更
【補正の内容】
【００３４】
先導手段４５は、一例として図８に示すように、ステンレスワイヤ等の腰の強いワイヤ４５ａの一端に環状部４５ｂを備えさせてなるものとする。この先導手段４５においては、環状部４５ｂに結束用紐２７の一端を係止させた状態でワイヤ４５ａに結束用紐２７を先導させる。